(57)【要約】【課題】消費電力が減少し、表示品質が向上された表示装置が提供される。【解決手段】表示装置は信号制御部、データ駆動部、ゲート駆動電圧生成部、ゲート駆動部、及び表示パネルを含む。前記表示パネルはブランク区間と表示区間とを含むフレーム区間の間に映像を表示する。前記ゲート駆動電圧生成部は制御信号及びアナログ駆動電圧を受信する。前記ゲート駆動電圧生成部は前記アナログ駆動電圧に基づいて昇圧オンゲート駆動電圧と昇圧オフゲート駆動電圧とを生成する。前記ゲート駆動電圧生成部は前記フレーム区間の中で一部の区間の間に前記昇圧オンゲート駆動電圧を出力し、残りの一部の区間の間に前記昇圧オフゲート駆動電圧を出力する。【選択図】図１
2013114260.tif 000002
【特許請求の範囲】
【請求項１】
ブランク区間と表示区間とを含むフレーム区間を定義する垂直同期信号、水平同期信号、クロック信号、及びデータイネーブル信号に基づいて複数個の制御信号及び映像データを出力する信号制御部と、
前記映像データを受信し、前記表示区間の間にデータ信号を出力するデータ駆動部と、
前記制御信号の中で一部の信号及びアナログ駆動電圧を受信し、前記フレーム区間の中で一部に対応する昇圧オン区間の間に昇圧オンゲート駆動電圧を出力し、前記フレーム区間の中で残りの一部に対応する昇圧オフ区間の間に昇圧オフゲート駆動電圧を出力するゲート駆動電圧生成部と、
前記昇圧オンゲート駆動電圧を受信し、前記表示区間の間にゲート信号を出力するゲート駆動部と、
前記ゲート信号及び前記データ信号を受信し、映像を表示する表示パネルと、を含む表示装置。
【請求項２】
前記ゲート駆動電圧生成部は、
前記一部の信号を受信し、前記一部の信号に基づいて昇圧部動作信号を生成して出力する昇圧制御部と、
前記アナログ駆動電圧を受信し、前記昇圧部動作信号に応答して前記昇圧オンゲート駆動電圧及び前記昇圧オフゲート駆動電圧を出力する昇圧部と、を含むことを特徴とする請求項１に記載の表示装置。
【請求項３】
前記昇圧部動作信号は前記昇圧オン−区間の間に第１レベルを有し、前記昇圧オフ区間の間に前記第１レベルと異なる第２レベルとを有し、前記昇圧部は前記昇圧部動作信号のレベルにしたがって、前記昇圧オンゲート駆動電圧及び前記昇圧オフゲート駆動電圧を出力することを特徴とする請求項２に記載の表示装置。
【請求項４】
前記昇圧オン−区間は前記表示区間に対応することを特徴とする請求項３に記載の表示装置。
【請求項５】
前記一部の信号は前記データイネーブル信号に基づいて生成され、前記データイネーブル信号は前記ブランク区間と前記表示区間とを定義し、
前記昇圧制御部は前記データイネーブル信号の位相を反転させて前記第１レベルと前記第２レベルとを有する前記昇圧部動作信号を生成することを特徴とする請求項４に記載の表示装置。
【請求項６】
前記昇圧オン−区間は前記表示区間及び前記ブランク区間の一部に対応する区間を含むことを特徴とする請求項３に記載の表示装置。
【請求項７】
前記一部の信号は前記垂直同期信号、前記水平同期信号、及び前記クロック信号に基づいて生成され、
前記昇圧制御部は前記垂直同期信号と前記クロック信号とに基づいて前記表示区間に対応するように前記第１レベルを有する前記昇圧部動作信号の第１駆動区間を決定し、前記水平同期信号に基づいて前記ブランク区間の一部に対応するように前記第１レベルを有する前記昇圧部動作信号の第２駆動区間を決定することを特徴とする請求項６に記載の表示装置。
【請求項８】
前記ブランク区間は、
前記フレーム区間が始まる始点から前記表示区間が始まる始点に対応する第１ポーチ区間と、
前記表示区間が終わる始点から前記フレーム区間が終わる始点に対応する第２ポーチ区間を含むことを特徴で請求項７に記載の表示装置。
【請求項９】
前記昇圧部動作信号は前記ブランク区間に対応するように前記第２駆動区間及び前記第２レベルを有する非駆動区間を含み、
前記第２駆動区間と前記非駆動区間とは前記ブランク区間の間に交互に発生されることを特徴とする請求項７に記載の表示装置。
【請求項１０】
前記昇圧部動作信号は前記ブランク区間に対応するように前記第２駆動区間及び前記第２レベルを有する非駆動区間を含み、
前記第２駆動区間の長さは前記水平同期信号の複数個の周期に対応することを特徴とする請求項７に記載の表示装置。
【請求項１１】
前記昇圧オン区間は前記表示区間に対応することを特徴とする請求項１に記載の表示装置。
【請求項１２】
前記ブランク区間は、
前記フレーム区間が始まる始点から前記表示区間が始まる始点に対応する第１ポーチ区間と、
前記表示区間が終わる始点から前記フレーム区間が終わる始点に対応する第２ポーチ区間と、を含むことを特徴で請求項１１に記載の表示装置。
【請求項１３】
前記昇圧オン区間は前記表示区間に対応する第１駆動区間及び前記ブランク区間の一部に対応する第２駆動区間を含むことを特徴とする請求項１に記載の表示装置。
【請求項１４】
前記ブランク区間は、
前記フレーム区間が始まる始点から前記表示区間が始まる始点に対応する第１ポーチ区間と、
前記表示区間が終わる始点から前記フレーム区間が終わる始点に対応する第２ポーチ区間と、を含むことを特徴で請求項１３に記載の表示装置。
【請求項１５】
前記第１ポーチ区間及び前記第２ポーチ区間は前記第２駆動区間を各々含むことを特徴とする請求項１４に記載の表示装置。
【請求項１６】
前記ブランク区間は前記第２駆動区間及び非駆動区間を含み、
前記ブランク区間は前記第２駆動区間と前記非駆動区間とが交互に発生されることを特徴とする請求項１３に記載の表示装置。
【請求項１７】
前記第２駆動区間の長さと前記非駆動区間の長さとは実質的に同一であることを特徴とする請求項１６に記載の表示装置。
【請求項１８】
前記表示パネルは、
複数個のデータラインと、
前記データラインと絶縁されるように交差する複数個のゲートラインと、
各々が前記データライン及び前記ゲートラインに連結された複数個の画素と、を含むことを特徴とする請求項１に記載の表示装置。
【請求項１９】
前記複数個の画素の各々は、
前記ゲート信号に応答して前記データ信号を出力するスイッチング素子と、
前記データ信号及び前記データ信号と異なるレベルを有する共通電圧を受信する液晶キャパシターと、を含むことを特徴とする請求項１８に記載の表示装置。
【請求項２０】
映像データを出力する信号制御部と、
表示区間とブランク区間を含むフレーム区間の中で前記表示区間の間にゲート信号を出力するゲート駆動部と、
前記映像データを受信し、前記映像データをデータ信号に変換して前記表示区間の間に出力するデータ駆動部と、
アナログ駆動電圧を受信し、前記アナログ駆動電圧に基づいて生成された昇圧オンゲート駆動電圧を前記表示区間の間に前記ゲート駆動部へ出力し、前記アナログ駆動電圧に基づいて生成された昇圧オフゲート駆動電圧を前記ブランク区間の間に前記ゲート駆動部へ出力するゲート駆動電圧生成部と、
前記ゲート信号及び前記データ信号を受信し、映像を表示する表示パネルと、を含む表示装置。
【発明の詳細な説明】
【技術分野】
【０００１】
本発明は表示装置に関する。
【背景技術】
【０００２】
一般的な表示装置は複数個の画素電極、前記複数個の画素電極に各々連結された複数個のスイッチング素子、及び複数個のゲートラインと複数個のデータラインとを含む。
【０００３】
表示装置を駆動するためには様々な種類の電圧又は電源が要求される。表示装置は様々な種類の電圧を生成するために入力された交流電源を直流電源に変換させるＡＣ／ＤＣ変換部、前記変換された直流電源をアナログ駆動電圧ＡＶＤＤに変換させるアナログ回路部等を含む。前記アナログ駆動電圧は電源レギュレータで基準電源が所定のレベルに調整された次に、チャージポンプのような昇圧回路（booster circuit）で昇圧させて生成される。
【０００４】
ゲート駆動電圧生成部は前記アナログ駆動電圧ＡＶＤＤをゲートオン電圧とゲートオフ電圧とに変換する。前記ゲートオン電圧と前記ゲートオフ電圧とは前記アナログ駆動電圧をチャージポンプのような昇圧回路で再び１回昇圧させて生成され得る。前記ゲートオン電圧及び前記ゲートオフ電圧はゲート駆動部へ印加された後、ゲート信号としてゲートラインへ出力される。
【０００５】
従来のゲート駆動電圧生成部は前記ゲート駆動部で前記ゲートラインへ前記ゲート信号を出力しなくとも、前記昇圧されたゲートオン電圧及び前記昇圧されたゲートオフ電圧を前記ゲート駆動部へ提供した。
【０００６】
前記ゲート信号を出力しない間にゲート駆動部に掛かる負荷（load）は減少する。したがって、前記ゲート駆動部で前記ゲートオン電圧のレベルは増加し、前記ゲートオフ電圧は減少する。前記ゲートオン電圧の増加幅と前記ゲートオフ電圧との減少幅が大きいので、前記ゲート駆動部で出力されるゲート信号が安定化されるまで長い時間が要求される。これは前記ゲート駆動部の過負荷はゲート信号の変動（fluctuation）及びリップル（ripple）を生じされる。ゲート信号の変動及びリップルは表示パネルの位置によるフリッカ偏差を増加させる。
【０００７】
一方、前記ゲート信号が出力されるか否かに関わらず、前記昇圧されたゲートオン電圧及び前記昇圧されたゲートオフ電圧がゲート駆動部へ提供されれば、表示装置の消費電力が増加する。
【先行技術文献】
【特許文献】
【０００８】
【特許文献１】韓国特許公開第１０−２００７−００５４３８３号公報
【発明の概要】
【発明が解決しようとする課題】
【０００９】
本発明は消費電力が減少し、表示品質が向上された表示装置を提供することを目的とする。
【課題を解決するための手段】
【００１０】
本発明の一実施形態による表示装置は信号制御部、データ駆動部、ゲート駆動電圧生成部、ゲート駆動部、及び表示パネルを含む。
【００１１】
前記信号制御部はフレーム区間を定義する垂直同期信号、水平同期信号、クロック信号、及びデータイネーブル信号に基づいて複数個の制御信号を出力し、映像データを出力する。前記データイネーブル信号は前記表示区間と前記ブランク区間とを定義できる。
【００１２】
前記データ駆動部は前記映像データを受信し、データ信号を前記表示区間の間に出力する。前記データ信号は前記映像データ信号が変換された信号であり得る。前記ゲート駆動部は昇圧オンゲート駆動電圧を受信し、ゲート信号を前記表示区間の間に出力する。前記ゲート信号は前記昇圧オンゲート駆動電圧が変換された信号であり得る。前記表示パネルは前記ゲート信号及び前記データ信号を受信し、映像を表示する。
【００１３】
前記ゲート駆動電圧生成部は前記制御信号の中で一部の信号及びアナログ駆動電圧を受信する。前記ゲート駆動電圧生成部は昇圧動作を遂行して前記フレーム区間の中で一部に対応する昇圧オン区間の間に前記昇圧オンゲート駆動電圧を出力する。前記ゲート駆動電圧生成部は前記フレーム区間の中で残りの一部に対応する昇圧オフ区間の間に前記昇圧オフゲート駆動電圧を出力する。前記昇圧オンゲート駆動電圧は前記昇圧オフゲート駆動電圧より高いレベルを有することができる。
【００１４】
前記ゲート駆動電圧生成部は昇圧制御部及び昇圧部を含む。前記昇圧制御部は前記制御信号の中で一部の信号を受信し、前記一部の信号に基づいて昇圧部動作信号を生成する。前記昇圧部は前記アナログ駆動電圧を受信し、前記昇圧オンゲート駆動電圧及び前記昇圧オフゲート駆動電圧を生成する。前記昇圧部は前記昇圧部動作信号に応答して前記昇圧オン及び昇圧オフゲート駆動電圧を出力する。前記昇圧オンゲート駆動電圧は前記昇圧部で昇圧された電圧であり、前記昇圧オフゲート駆動電圧は昇圧されない電圧である。
【００１５】
前記昇圧部動作信号は前記昇圧オン区間の間に第１レベルを有し、前記昇圧オフ区間の間に前記第１レベルと異なる第２レベルを有する。
【００１６】
前記昇圧オン区間は前記表示区間に対応することができる。前記昇圧制御部は前記データイネーブル信号を受信し、前記データイネーブル信号の位相を反転させて前記昇圧部動作信号を生成することができる。
【００１７】
本発明の他の実施形態で前記昇圧オン区間は前記表示区間及び前記ブランク区間の一部に対応する区間を包含できる。前記ブランク区間は、前記フレーム区間が始まる地点から前記表示区間が始まる地点に対応する第１ポーチ区間及び前記表示区間が終わる地点から前記フレーム区間が終わる地点に対応する第２ポーチ区間を包含できる。
【００１８】
前記昇圧制御部は前記垂直同期信号、水平同期信号、及びクロック信号を受信し、前記垂直同期信号と前記クロック信号とに基づいて前記表示区間に対応するように第１レベルを有する前記昇圧部動作信号の第１駆動区間を決定し、前記水平同期信号に基づいて前記ブランク区間の一部に対応するように前記１レベルを有する第２駆動区間を決定することができる。
【００１９】
前記昇圧部動作信号は前記ブランク区間に対応するように前記第２駆動区間及び非駆動区間を含み、前記第２駆動区間と前記非駆動区間とは前記ブランク区間の間に交互に発生され得る。前記第２駆動区間の長さと前記非駆動区間の長さとは実質的に同一である。
【００２０】
前記表示パネルは複数個のデータライン、前記データラインと絶縁されるように交差する複数個のゲートライン、及び各々が前記データライン及び前記ゲートラインに連結された複数個の画素を包含できる。
【００２１】
前記複数個の画素の各々は前記ゲート信号に応答して前記データ信号を出力するスイッチング素子、及び前記データ信号及び前記データ信号と異なるレベルを有する共通電圧を受信する液晶キャパシターを包含できる。
【００２２】
前記ゲート駆動電圧は第１レベルを有するゲートオン電圧及び前記第１レベルより低い第２レベルを有するゲートオフ電圧を包含できる。
【発明の効果】
【００２３】
一実施形態による表示装置は昇圧されたゲート駆動電圧を前記表示区間の間に前記ゲート駆動部へ提供し、昇圧されないゲート駆動電圧を前記ブランク区間へ提供する。前記ブランク区間の間に前記ゲート駆動部へ印加される前記ゲート駆動電圧の変動幅が減少する。したがって、前記表示装置はゲート信号の変動及びリップルが減少される。したがって、表示装置の表示品質が向上される。
【００２４】
他の実施形態による表示装置は前記昇圧されたゲート駆動電圧を前記ゲート駆動部へ前記ブランク区間の中で一部区間に昇圧された提供する。前記ブランク区間の間に前記ゲートオン電圧が過度に減少したり、ゲートオフ電圧が過度に増加することを防止することができる。したがって、前記ブランク区間の間に前記ゲート駆動部へ印加される前記ゲート駆動電圧の変動幅が減少する。
【００２５】
前記表示装置は前記ゲート駆動電圧生成部が必要によって動作して消費電力が減少する。
【図面の簡単な説明】
【００２６】
【図１】本発明の一実施形態による表示装置のブロック図である。
【図２】本発明の一実施形態による各信号のタイミング図である。
【図３】図１に示したゲート駆動電圧生成部のブロック図である。
【図４Ａ】従来の表示装置で測定されたゲートオン電圧を示したグラフである。
【図４Ｂ】従来の表示装置で測定されたゲートオフ電圧を示したグラフである。
【図５Ａ】本発明の一実施形態による表示装置で測定されたゲートオン電圧を示したグラフである。
【図５Ｂ】本発明の一実施形態による表示装置で測定されたゲートオフ電圧を示したグラフである。
【図６】本発明の他の実施形態による各信号のタイミング図である。
【図７】本発明のその他の実施形態による各信号のタイミング図である。
【発明を実施するための形態】
【００２７】
以下、添付した図面を参照して本発明の望ましい実施形態をより詳細に説明する。図１は本発明の一実施形態による表示装置のブロック図であり、図２は本発明の一実施形態による各信号のタイミング図であり、図３は図１に示したゲート駆動電圧生成部のブロック図である。
【００２８】
図１乃至図３を参照すれば、本発明の一実施形態による表示装置は表示パネルＬＤＰ、信号制御部１００、データ駆動部２００、ゲート駆動部３００、ゲート駆動電圧生成部４００を含む。
【００２９】
前記表示パネルＬＤＰは映像を表示する。前記表示パネルＬＤＰは特別に限定されるものではなく、例えば、液晶表示パネル（liquid crystal display panel）、有機電界発光表示パネル（organic light emitting display panel）、電氣泳動表示パネル（electrophoretic display panel）、エレクトロ・ウェッティング表示パネル（electrowetting display panel）等多様な表示パネルを採用できる。図１には液晶表示パネルＬＤＰが例示的に示している。
【００３０】
前記表示パネルＬＤＰは第１方向に延長された複数個のゲートラインＧ１〜Ｇｎ及び前記第１方向と交差する第２方向に前記ゲートラインＧ１〜Ｇｎと絶縁されるように延長された複数個のデータラインＤ１〜Ｄｍを含む。また、前記表示パネルＬＤＰは各々が前記データラインＤ１〜Ｄｍ及び前記ゲートラインＧ１〜Ｇｎに連結された複数個の画素ＰＸを含む。
【００３１】
図１に示したように、各画素ＰＸはゲート信号に応答してデータ信号を出力するスイッチング素子ＳＷ及び前記データ信号を受信する液晶キャパシターＣｌｃを含む。前記スイッチング素子ＳＷは前記データラインＤ１〜Ｄｍの中でいずれか１つに連結され、前記ゲートラインＧ１〜Ｇｎの中でいずれか１つに連結される。液晶表示パネルＬＤＰは互に対向する２つの基板（図示せず）と前記２つの基板との間に介在された液晶層（図示せず）とを含む。
【００３２】
前記スイッチング素子ＳＷ、前記ゲートラインＧ１〜Ｇｎ、及びデータラインＤ１〜Ｄｍは前記２つの基板の中でいずれか１つに具備される。前記スイッチング素子ＳＷは薄膜トランジスターであり得る。前記液晶キャパシターＣｌｃは前記スイッチング素子ＳＷに連結された第１電極、前記第１電極と対向する第２電極、及び前記液晶層を含む。前記第２電極は前記２つの基板の中でいずれか１つに具備されて前記データ信号と異なるレベルを有する共通電圧とを受信する。例えば、前記第２電極は前記２つの基板の中で前記第１電極が具備されない他の基板に具備された共通電極であり得る。
【００３３】
前記信号制御部１００は外部のグラフィック制御部（図示せず）から入力される映像信号Ｒ、Ｇ、Ｂ及びその制御信号を受信する。前記制御信号は、例えば垂直同期信号Ｖｓｙｎｃ、水平同期信号Ｈｓｙｎｃ、クロック信号ＣＬＫ、及びデータイネーブル信号ＤＥ等を含む。前記信号制御部１００は映像データＲ’、Ｇ’、Ｂ’及び第１制御信号ＣＯＮＴ１、第２制御信号ＣＯＮＴ２、及び第３制御信号ＣＯＮＴ３を出力する。
【００３４】
前記映像データＲ’、Ｇ’、Ｂ’は前記映像信号Ｒ、Ｇ、Ｂを前記表示パネルＬＤＰの動作条件に適するように処理された信号であり、前記第１乃至第３制御信号ＣＯＮＴ１、ＣＯＮＴ２、ＣＯＮＴ３の各々は垂直同期信号Ｖｓｙｎｃ、水平同期信号Ｈｓｙｎｃ、クロック信号ＣＬＫ及びデータイネーブル信号ＤＥの中でいずれか１つ以上を包含できる。前記第１乃至第３制御信号ＣＯＮＴ１、ＣＯＮＴ２、ＣＯＮＴ３の各々は前記信号以外の他の信号をさらに包含できる。
【００３５】
図２に示したように、前記垂直同期信号Ｖｓｙｎｃは複数のフレーム区間ＦＲを定義する。前記垂直同期信号Ｖｓｙｎｃは各周期毎にハイ区間とロー区間とを含み、前記垂直同期信号Ｖｓｙｎｃの周期はフレーム区間ＦＲの周期に対応する。
【００３６】
前記データイネーブル信号ＤＥは前記フレーム区間ＦＲの各々に具備されたブランク区間ＦＰＰ、ＢＰＰと表示区間ＤＰとを定義する。例えば、前記データイネーブル信号ＤＥは前記表示区間ＤＰでローレベルを有し、前記ブランク区間ＦＰＰ、ＢＰＰでハイレベルを有することができる。前記ブランク区間ＦＰＰ、ＢＰＰは前記フレーム区間ＦＲが始まる始点から前記表示区間ＤＰが始まる始点までに対応する第１ポーチ区間ＦＰＰ及び前記表示区間ＤＰが終わる始点から前記フレーム区間ＦＲが終わる始点までに対応する第２ポーチ区間ＢＰＰを含む。
【００３７】
前記水平同期信号Ｈｓｙｎｃは前記データ駆動部２００で前記データ信号ＤＲＧＢを出力する複数の水平区間を定義する。前記水平同期信号Ｈｓｙｎｃの周期は前記水平区間の周期に対応する。前記水平同期信号Ｈｓｙｎｃは各周期毎にハイ区間とロー区間とを含む。
【００３８】
前記第１制御信号ＣＯＮＴ１は前記データ駆動部２００へ提供される。前記第１制御信号ＣＯＮＴ１は前記データイネーブル信号ＤＥ、前記映像データＲ’、Ｇ’、Ｂ’の入力開始を指示する水平同期信号Ｈｓｙｎｃ、前記データラインＤ１〜Ｄｍへ該当データ信号ＤＲＧＢを印加させるロード信号、共通電圧に対する前記データ信号ＤＲＧＢの極性を反転させる反転信号及びデータクロック信号等を含む。前記データクロック信号は前記信号制御部１００が受信した前記クロック信号ＣＬＫと同一であり得る。
【００３９】
前記第２制御信号ＣＯＮＴ２は前記ゲート駆動部３００へ提供される。前記第２制御信号ＣＯＮＴ２はゲート信号の出力開始を指示する垂直同期信号Ｖｓｙｎｃ、ゲート信号の出力タイミングを制御するゲートクロック信号及びゲート信号の幅（特に、ゲートオン信号の幅）を限定する出力イネーブル信号等を包含できる。前記ゲートクロック信号は前記信号制御部１００が受信した前記クロック信号ＣＬＫと同一であり得る。
【００４０】
前記第３制御信号ＣＯＮＴ３はデータイネーブル信号ＤＥに基づいて生成された信号を包含できる。また、前記第３制御信号ＣＯＮＴ３は垂直同期信号Ｖｓｙｎｃ、水平同期信号Ｈｓｙｎｃ、クロック信号ＣＬＫに基づいて生成された信号を包含できる。
【００４１】
図１に示したように、前記データ駆動部２００は前記データラインＤ１−Ｄｍに連結され、外部から入力されたガンマ基準電圧ＧＶＤＤを映像データＲ’、Ｇ’、Ｂ’に適するように変調してこれをデータ信号ＤＲＧＢ（図２参照）として前記データラインＤ１−Ｄｍへ出力する。
【００４２】
前記データ駆動部２００は前記データイネーブル信号ＤＥと前記水平同期信号Ｈｓｙｎｃとに基づいて前記表示区間ＤＰの間に前記データ信号ＤＲＧＢを前記データラインＤ１−Ｄｍへ出力する。前記データ駆動部２００は前記データイネーブル信号ＤＥがローレベルである時、前記水平同期信号Ｈｓｙｎｃに同期されて前記データ信号ＤＲＧＢを出力する。
【００４３】
図１に示したように、前記ゲート駆動部３００は前記ゲートラインＧ１〜Ｇｎに連結される。前記ゲート駆動部３００はゲート駆動電圧を受信し、ゲート信号をフレーム区間ＦＲの間に前記ゲートラインＧ１〜Ｇｎへ出力する。前記ゲート駆動部３００は複数個のステージ回路で構成され得る。前記ゲート駆動電圧はゲートオン電圧ＶＧＨ１、ＶＧＨ２とゲートオフ電圧ＶＧＬ１、ＶＧＬ２とを包含できる。例えば、前記ゲートオン電圧ＶＧＨの極性は＋（プラス）であり、前記ゲートオフ電圧ＶＧＬの極性は−（マイナス）であり得る。
【００４４】
前記ゲート駆動部３００は前記垂直同期信号Ｖｓｙｎｃとクロック信号ＣＬＫとに基づいて前記表示区間ＤＰの間に前記ゲート信号を前記ゲートラインＧ１〜Ｇｎへ順次的に出力する。前記ゲート駆動部３００は図２に示したように、前記垂直同期信号Ｖｓｙｎｃの下降エッジ（falling edge）から６番目のクロック以後に前記ゲート信号を出力することができる。
【００４５】
図１に示したように、前記ゲート駆動電圧生成部４００は前記制御信号の中で一部の信号とアナログ駆動電圧ＡＶＤＤとを受信する。また、前記ゲート駆動電圧生成部４００は前記アナログ駆動電圧ＡＶＤＤをゲート駆動電圧ＶＧＨ１、ＶＧＨ２、ＶＧＬ１、ＶＧＬ２に変換して前記フレーム区間（ＦＰ）の間に前記ゲート駆動部３００へ出力する。前記ゲート駆動電圧生成部４００は前記フレーム区間の中で一部の区間（以下、昇圧オン区間）の間に昇圧されたゲート駆動電圧（以下、昇圧オンゲート駆動電圧）ＶＧＨ１、ＶＧＬ１を出力し、残りの一部の区間（昇圧オフ区間）の間に昇圧されないゲート駆動電圧（昇圧オフゲート駆動電圧）ＶＧＨ２、ＶＧＬ２を出力する。
【００４６】
本実施形態で前記昇圧オン区間は前記表示区間ＤＰに対応することができる。前記ゲート駆動電圧生成部４００は前記ゲート駆動部３００が前記ゲート信号を出力しない時、前記昇圧オンゲート駆動電圧ＶＧＨ１、ＶＧＬ１を前記ゲート駆動部３００へ出力せず、前記昇圧オフゲート駆動電圧ＶＧＨ２、ＶＧＬ２を出力する。したがって、前記ブランク区間ＦＰＰ、ＢＰＰの間に前記ゲート駆動部３００へ入力される電圧は前記表示区間ＤＰの間に入力される電圧よりレベルが低いので、前記ゲート駆動部３００で測定される前記ゲートオン電圧は僅かに減少し、前記ゲートオフ電圧は僅かに増加する。即ち、前記ブランク区間ＦＰＰ、ＢＰＰの間に前記ゲート駆動部３００で前記ゲートオン電圧と前記ゲートオフ電圧との変動幅は従来の表示装置に比べて小さい。これにしたがう効果は図４Ａ乃至図５Ｂを参照して後述する。
【００４７】
図３に示したように、前記ゲート駆動電圧生成部４００は昇圧制御部４１０と昇圧部４２０とを包含できる。前記昇圧制御部４１０は第３制御信号ＣＯＮＴ３を受信し、前記第３制御信号ＣＯＮＴ３に基づいて昇圧部動作信号を生成して出力する。前記昇圧部４２０は前記アナログ駆動電圧ＡＶＤＤを受信し、前記アナログ駆動電圧ＡＶＤＤを昇圧させて前記昇圧オンゲート駆動電圧ＶＧＨ１、ＶＧＬ１を生成し、前記昇圧部動作信号に応答して前記昇圧オンゲート駆動電圧ＶＧＨ１、ＶＧＬ１及び前記昇圧オフゲート駆動電圧ＶＧＨ２、ＶＧＬ２を出力する。前記昇圧部４２０はチャージポンプのような昇圧回路（booster circuit）で構成され得る。図３に示したように、前記昇圧制御部４１０は動作信号生成部４１２、スイッチ部４１４、及びレベルシフタ４１６を包含できる。前記動作信号生成部４１２は前記第３制御信号ＣＯＮＴ３を受信する。本実施形態で前記第３制御信号ＣＯＮＴ３はデータイネーブル信号ＤＥを包含できる。前記動作信号生成部４１２は前記データイネーブル信号ＤＥの位相を反転させて昇圧部動作信号Ｂ＿Ｄを生成する。
【００４８】
したがって、前記昇圧部動作信号Ｂ＿Ｄは前記データイネーブル信号ＤＥのローレベルに対応してハイレベルを有する第１区間ＢＰ＿１及び前記データイネーブル信号ＤＥのハイレベルに対応してローレベルを有する第２区間ＢＰ＿２、ＢＰ＿３を含む。本実施形態で、前記第１区間ＢＰ＿１は前記昇圧オン区間であり、前記第２区間ＢＰ＿２、ＢＰ＿３は前記昇圧オフ区間である。
【００４９】
本実施形態で前記第１区間ＢＰ＿１は前記表示区間ＤＰに対応し、前記第２区間ＢＰ＿２、ＢＰ＿３は前記ブランク区間ＦＰＰ、ＢＰＰに対応する。したがって、前記第２区間ＢＰ＿２、ＢＰ＿３は前記第１ポーチ区間ＦＰＰと第２ポーチ区間ＢＰＰとに対応する区間を包含できる。
【００５０】
一方、前記第３制御信号ＣＯＮＴ３は垂直同期信号Ｖｓｙｎｃ、クロック信号ＣＬＫであり得る。この時、前記動作信号生成部４１２は垂直同期信号Ｖｓｙｎｃ、クロック信号ＣＬＫに基づいて前記昇圧部動作信号Ｂ＿Ｄを生成することができる。例えば、前記第２区間ＢＰ＿２、ＢＰ＿３が前記第１ポーチ区間ＦＰＰと第２ポーチ区間ＢＰＰとに対応する区間を含む場合、前記垂直同期信号Ｖｓｙｎｃの下降エッジ（falling edge）から６番目のクロックまでのクロック区間を前記第１ポーチ区間ＦＰＰに対応する第２区間ＢＰ＿２として設定し、前記第２区間以後の多数のクロック区間を第１区間ＢＰ＿１として設定し、前記第１区間ＢＰ＿１以後の６番目のクロックまでのクロック区間を前記第２ポーチ区間ＢＰＰに対応する第２区間ＢＰ＿３として設定することができる。
【００５１】
前記スイッチ部４１４は前記昇圧部動作信号Ｂ＿Ｄと昇圧部イネーブル信号Ｂ＿ＥＮとを受信する。前記昇圧部イネーブル信号Ｂ＿ＥＮは前記昇圧部の動作を指示する信号である。前記昇圧部イネーブル信号Ｂ＿ＥＮは二進信号であり得る。例えば、前記スイッチ部４１４は前記昇圧部イネーブル信号Ｂ＿ＥＮが１である時、前記昇圧部動作信号Ｂ＿Ｄを出力し、前記昇圧部イネーブル信号Ｂ＿ＥＮが０である時、前記昇圧部動作信号Ｂ＿Ｄを出力しないこともあり得る。
【００５２】
前記レベルシフタ４１６は前記昇圧部動作信号Ｂ＿Ｄの第１区間ＢＰ＿１と第２区間ＢＰ＿２、ＢＰ＿３との区別が明確になるように前記昇圧部動作信号Ｂ＿Ｄのレベルを調整する。前記レベルシフタ４１６は省略され得ることもあり得る。レベルが調整された昇圧部動作信号ＳＢ＿Ｄは前記昇圧部４２０へ印加される。
【００５３】
前記昇圧部４２０はレベルが調整された昇圧部動作信号ＳＢ＿Ｄを受信し、前記レベルが調整された昇圧部動作信号ＳＢ＿Ｄの第１区間ＢＰ＿１に対応して前記アナログ駆動電圧ＡＶＤＤを昇圧して前記昇圧オンゲート駆動電圧ＶＧＨ１、ＶＧＬ１を前記ゲート駆動部３００へ出力する。また、前記昇圧部４２０は前記レベルが調整された昇圧部動作信号ＳＢ＿Ｄの第２区間ＢＰ＿２に対応して前記アナログ駆動電圧ＡＶＤＤを昇圧せず、前記昇圧オフゲート駆動電圧ＶＧＨ２、ＶＧＬ２を前記ゲート駆動部３００へ出力する。
【００５４】
図４Ａ乃至図５Ｂで、第１グラフＧ＿１は垂直同期信号Ｖｓｙｎｃを示す。図４Ａの第２グラフＧ＿２と図４Ｂの第３グラフＧ＿３とは従来の表示装置で測定されたゲート駆動電圧を示したグラフである。図５Ａの第４グラフＧ＿４と図５Ｂの第５グラフＧ＿５とは本発明の一実施形態による表示装置で測定したゲート駆動電圧を示したグラフである。
【００５５】
前記第２及び前記第４グラフＧ＿２、Ｇ＿４は前記ゲート駆動部３００で測定した前記ゲートオン電圧を示し、前記第３及び前記第５グラフＧ＿３、Ｇ＿５は前記ゲート駆動部３００で測定した前記ゲートオフ電圧を示す。
【００５６】
図４Ａの第２グラフＧ＿２に示したように、前記ブランク区間ＢＰＰ＋ＦＰＰの間に前記ゲート駆動部３００の負荷が減少する反面、前記ゲート駆動部３００は昇圧されたゲートオン電圧を受信するので、前記ゲート駆動部３００で測定される前記ゲートオン電圧のレベルは増加する。前記ゲートオン電圧は表示区間ＤＰに比べて約５７０ｍＶ増加する。図５Ａの第４グラフＧ＿４に示したように、前記ブランク区間ＢＰＰ＋ＦＰＰの間に前記ゲート駆動部３００は昇圧されない前記ゲートオン電圧を受信するので、前記ゲート駆動部３００で測定される前記ゲートオン電圧のレベルは減少する。前記ゲートオン電圧ＶＧＨは表示区間ＤＰに比べて約５２ｍＶ減少する。
【００５７】
図４Ａ及び図５Ａに示したように、本実施形態による表示装置は前記ブランク区間ＦＰＰ、ＢＰＰの間に前記ゲートオン電圧ＶＧＨの変動幅が従来の表示装置に比べて小さい。したがって、本実施形態による表示装置は従来の表示装置に比べて前記ブランク区間（ＢＰＰ＋ＦＰＰ）から前記表示区間に変換される時、短い時間内に前記ゲートオン電圧（ＶＧＨ）が一定なレベルを有する。したがって、本実施形態による表示装置はゲート信号の変動及びリップルが減少される。
【００５８】
図４Ｂの第３グラフＧ＿３に示したように、前記ブランク区間ＢＰＰ＋ＦＰＰの間に前記ゲート駆動部３００の負荷が減少する反面、前記ゲート駆動部３００は昇圧されたゲートオフ電圧を受信するので、前記ゲート駆動部３００で測定される前記ゲートオフ電圧のレベルは減少する。前記ゲートオフ電圧は表示区間ＤＰに比べて約４８８ｍＶ減少する。図５Ｂの第５グラフＧ＿５に示したように、前記ブランク区間ＢＰＰ＋ＦＰＰの間に前記ゲート駆動部３００へ昇圧された前記ゲートオフ電圧が印加されないので、前記ゲート駆動部３００で測定される前記ゲートオフ電圧のレベルは増加する。前記ゲートオフ電圧は表示区間ＤＰに比べて約４７ｍＶ増加する。
【００５９】
図４Ｂ及び図５Ｂに示したように、本実施形態による表示装置は前記ブランク区間ＦＰＰ、ＢＰＰの間に前記ゲートオフ電圧の変動幅が従来の表示装置に比べて小さい。したがって、本実施形態による表示装置は従来の表示装置に比べて前記ブランク区間ＢＰＰ＋ＦＰＰから前記表示区間に変換される時、短い時間内に前記ゲートオフ電圧ＶＧＬが一定なレベルを有する。
【００６０】
図４Ａ乃至図５Ｂを参照して説明したように、本実施形態による表示装置は従来の表示装置に比べて前記ブランク区間ＢＰＰ＋ＦＰＰの間に前記ゲート駆動部３００へ印加されるゲート駆動電圧の変動幅が小さい。したがって、下の表に表れたように表示装置のフリッカ偏差が減少する。
【００６１】
【表１】
2013114260.tif 000003
【００６２】
前記表１で表示装置に表れるフリッカ値を表示パネルの上部、中間、下部で測定した。ここで、上部は表示パネルＬＣＰの概ね第１番目のゲートラインＧ１に対応する地点の位置であり、下部は表示パネルＬＣＰの大略ｎ番目のゲートラインＧｎに対応する地点の位置であり、中間は表示パネルＬＣＰの第１番目のゲートラインとｎ番目のゲートラインの中間に位置されたゲートラインに対応する地点の位置である。
【００６３】
表１に表れたように、本実施形態による表示装置は前記ブランク区間ＢＰＰ＋ＦＰＰの間に電圧変動の幅が狭いので、表示パネルの位置にしたがうフリッカ偏差が従来の表示装置に比べて小さい。したがって、表示装置で表示する映像の表示品質が向上される。
【００６４】
図６は本発明の他の実施形態による各信号のタイミング図であり、図７は本発明のその他の実施形態による各信号のタイミング図である。以下、図６及び図７を参照して本発明の他の実施形態による表示装置を検討する。一方、図１乃至図５を参照して説明した表示装置と同一な構成に対して同一な符号を付け、詳細な説明は省略する。
【００６５】
本発明の他の実施形態による表示装置は図１に示したように、表示パネルＬＤＰ、信号制御部１００、データ駆動部２００、ゲート駆動部３００、ゲート駆動電圧生成部４００を含む。
【００６６】
前記ゲート駆動電圧生成部４００は前記表示区間ＤＰに対応する区間のみでなく、前記ブランク区間ＦＰＰ、ＢＰＰの一部に対応する区間にも前記昇圧オンゲート駆動電圧ＶＧＨ１、ＶＧＬ１を前記ゲート駆動部３００へ提供する。ここで、前記表示区間ＤＰ及び前記ブランク区間ＦＰＰ、ＢＰＰの一部に対応する区間は昇圧オン区間として定義され、前記ブランク区間ＦＰＰ、ＢＰＰの残りの一部に対応する区間は昇圧オフ区間として定義される。
【００６７】
前記ゲート駆動電圧生成部４００（図３参照）は前記昇圧制御部４１０と前記昇圧部４２０とを含む。前記第３制御信号ＣＯＮＴ３は垂直同期信号Ｖｓｙｎｃ、水平同期信号Ｈｓｙｎｃ、クロック信号ＣＬＫを包含できる。前記動作信号生成部４１２は垂直同期信号Ｖｓｙｎｃ、水平同期信号Ｈｓｙｎｃ、及びクロック信号ＣＬＫに基づいて前記昇圧部動作信号Ｂ＿Ｄを生成できる。前記昇圧部動作信号Ｂ＿Ｄは前記表示区間ＤＰに対応して第１駆動区間Ｂ＿Ｄ１の間にハイレベルを有し、前記ブランク区間ＦＰＰ、ＢＰＰの一部に対応して第２駆動区間Ｂ＿Ｄ２の間にハイレベルを有する。反面に、前記昇圧部動作信号Ｂ＿Ｄは前記ブランク区間ＦＰＰ、ＢＰＰの残りの一部に対応する非駆動区間ＮＢ＿Ｄの間にローレベルを有する。前記動作信号生成部４１２は前記垂直同期信号Ｖｓｙｎｃとクロック信号ＣＬＫとに基づいて前記昇圧部動作信号Ｂ＿Ｄの前記第１駆動区間Ｂ＿Ｄ１と前記第１駆動区間Ｂ＿Ｄ１以外の区間とを設定する。ここで、前記第１駆動区間Ｂ＿Ｄ１以外の区間は前記ブランク区間ＦＰＰ、ＢＰＰに対応する。
【００６８】
前記動作信号生成部４１２は前記水平同期信号Ｈｓｙｎｃに基づいて前記ブランク区間ＦＰＰ、ＢＰＰの一部に対応するように前記昇圧部動作信号Ｂ＿Ｄの前記第２駆動区間Ｂ＿Ｄ２を設定する。したがって、前記ブランク区間ＦＰＰ、ＢＰＰの残りの一部に対応するように前記昇圧部動作信号Ｂ＿Ｄの前記非駆動区間ＮＢ＿Ｄが設定される。前記昇圧部動作信号Ｂ＿Ｄは前記第１ポーチ区間ＦＰＰと前記第２ポーチ区間ＢＰＰとの各々に対応するように前記第２駆動区間Ｂ＿Ｄ２と前記非駆動区間ＮＢ＿Ｄとを包含できる。
【００６９】
この時、図６に示したように、前記昇圧部動作信号Ｂ＿Ｄは前記ブランク区間ＦＰＰ、ＢＰＰに対応して前記第２駆動区間Ｂ＿Ｄ２と前記非駆動区間ＮＢ＿Ｄとを交互に発生させる。前記水平同期信号Ｈｓｙｎｃの１つの周期を前記第２駆動区間Ｂ＿Ｄ２として設定し、次に１つの周期を前記非駆動区間ＮＢ＿Ｄとして設定することができる。この時、前記第２駆動区間Ｂ＿Ｄ２の長さと前記非駆動区間ＮＢ＿Ｄの長さとは実質的に同一である。
【００７０】
前記昇圧部４２０は上述した昇圧部動作信号Ｂ＿Ｄを受信し、前記第１駆動区間Ｂ＿Ｄ１及び前記第２駆動区間Ｂ＿Ｄ２に前記昇圧オンゲート駆動電圧ＶＧＨ１、ＶＧＬ１を前記ゲート駆動部３００へ出力する。また、前記昇圧部４２０は前記非駆動区間ＮＢ＿Ｄに前記昇圧オフゲート駆動電圧ＶＧＨ２、ＶＧＬ２を前記ゲート駆動部３００へ出力する。
【００７１】
前記昇圧部動作信号Ｂ＿Ｄの前記第２駆動区間Ｂ＿Ｄ２は図７に示したように、前記ブランク区間ＦＰＰ、ＢＰＰの中で複数個の水平同期信号Ｈｓｙｎｃの周期に対応する長さを有することができる。例えば、前記水平同期信号Ｈｓｙｎｃの２つの周期に対応する長さを有することができる。図７に示したように、前記第２ポーチ区間ＢＰＰの長さは４つの水平同期信号Ｈｓｙｎｃの長さに対応することができる。この時、前記昇圧部動作信号Ｂ＿Ｄは前記４つの水平同期信号Ｈｓｙｎｃの中で２番目の水平同期信号Ｈｓｙｎｃの下降エッジ（falling edge）に対応して上昇エッジ（rising edge）を有し、前記４つの水平同期信号Ｈｓｙｎｃの中で２番目の水平同期信号Ｈｓｙｎｃの下降エッジ（falling edge）に対応して上昇エッジ（rising edge）を有する。この時、前記ブランク区間ＦＰＰ、ＢＰＰの間に、前記昇圧部動作信号Ｂ＿Ｄの前記第２駆動区間Ｂ＿Ｄ２と前記非駆動区間ＮＢ＿Ｄとは交互に発生しないこともあり得る。
【００７２】
上述した実施形態による表示装置は前記ブランク区間ＦＰＰ、ＢＰＰの中で一部区間の間に前記ゲート駆動部３００へ前記昇圧オンゲート駆動電圧ＶＧＨ１、ＶＧＬ１をさらに提供する。前記昇圧部４２０は前記図６及び図７に示した前記昇圧部動作信号Ｂ＿Ｄに応答して前記昇圧オンゲート駆動電圧ＶＧＨ１、ＶＧＬ１を出力する。したがって、前記ブランク区間ＦＰＰ、ＢＰＰの間に、前記ゲート駆動部３００で前記ゲートオン電圧が過度に減少したり、ゲートオフ電圧が過度に増加することを防止することができる。即ち、前記ブランク区間ＦＰＰ、ＢＰＰの間に、前記ゲート駆動部３００へ印加される前記ゲート駆動電圧の変動幅が減少される。
【００７３】
以上実施形態を参照して説明したが、該当技術分野の熟練された当業者は下記の特許請求の範囲に記載された本発明の思想及び領域から逸脱しない範囲内で本発明を多様に修正及び変更させ得ることを理解できる。また、本発明に開示された実施形態は本発明の技術思想を限定するためものでなく、下記の特許請求の範囲及びそれと同等な範囲内にある全て技術思想は本発明の権利範囲に含まれることと解析されなければならない。
【符号の説明】
【００７４】
１００・・・信号制御部
２００・・・データ駆動部
３００・・・ゲート駆動部
４００・・・ゲート駆動電圧生成部
ＤＰ・・・表示パネル
ＰＸ・・・画素
ＳＷ・・・スイッチング素子
Ｃｌｃ・・・液晶キャパシター
【図１】
2013114260.tif 000004
【図２】
2013114260.tif 000005
【図３】
2013114260.tif 000006
【図４Ａ】
2013114260.tif 000007
【図４Ｂ】
2013114260.tif 000008
【図５Ａ】
2013114260.tif 000009
【図５Ｂ】
2013114260.tif 000010
【図６】
2013114260.tif 000011
【図７】
2013114260.tif 000012